(57)【要約】      （修正有）【課題】駆動用電源として一般家庭の電源を利用でき、鉄筋コンクリート住宅及び鉄筋コンクリート構築物の改造作業に対応することが可能な電動式ワイヤーソー切断装置を提供する。【解決手段】ワイヤーソー３０と、駆動動力源と、案内機構とから構成される。駆動動力源は、電動モータ４と、スライドブロック及び支柱２と、取付け台と、自走装置９とを備えた電動コアドリル１０と変換ユニットで成り、案内機構は、ワイヤーソー駆動プーリ１５と複数個のガイドプーリ２５とにより成る。ワイヤーソー駆動プーリ１５は変換ユニットを介して電動モータ４により回転駆動されるとともに電動４と一体的に支柱２に移動可能に支持される一方、複数個のガイドプーリ２５が支柱にシャフトを介して保持され、使用時に取付け台を被切断物の表面に固定する。【選択図】    図２
2004224015.tif 000002
【特許請求の範囲】
【請求項１】
電動コアドリルに、ワイヤーソー案内プーリ支持部材とワイヤーソー駆動機構とを組み合わせたことを特徴とする電動式ワイヤーソー切断装置。
【請求項２】
ワイヤーソーと、該ワイヤーソーの駆動動力源と、上記ワイヤーソーの案内機構とを有するワイヤーソー切断装置において、
前記ワイヤーソーの駆動動力源が、電動モータと、該電動モータのガイド部材としてのスライドブロック及び支柱と、該支柱の支持部材としての取付け台と、自走装置とを備えた電動コアドリルと該コアドリルに接続する変換ユニットで構成され、
前記ワイヤーソーの案内機構が、ワイヤーソー駆動プーリと複数個のガイドプーリとにより構成され、該ワイヤーソー駆動プーリが前記変換ユニットを介して前記電動モータにより回転駆動されるとともに前記電動モータと一体的に前記支柱に移動可能に支持される一方、前記複数個のガイドプーリが前記支柱に支持部材を介して保持され、
使用時に前記取付け台を被切断物の表面に固定する手段が設けられることを特徴とする電動式ワイヤーソー切断装置。
【請求項３】
請求項１又は請求項２に記載の電動式ワイヤーソー切断装置において、前記電動コアドリルの一端に前記変換ユニットを介することなく直接前記ワイヤーソー駆動プーリが取り付けられていることを特徴とする電動式ワイヤーソー切断装置。
【請求項４】
請求項１ないし請求項３のいずれかに記載の電動式ワイヤーソー切断装置において、前記電動コアドリルが前記支柱に対して直角に取り付けられていることを特徴とする電動式ワイヤーソー切断装置。
【請求項５】
請求項１ないし請求項３のいずれかに記載の電動式ワイヤーソー切断装置において、該装置の前記支柱を垂直にセットした使用状態における前記自走装置の引き上げ力を補助する手段が設けられていることを特徴とする電動式ワイヤーソー切断装置。
【請求項６】
請求項１ないし請求項４のいずれかに記載の電動式ワイヤーソー切断装置において、前記被切断物の切断予定位置の裏面に、裏側ガイドプ−リ架台を介して固定し、前記ワイヤーソーを、前記被切断物に予め明けられた一組の孔を貫通して前記被切断物の表面のワイヤーソー駆動プーリ、ガイドプーリ及び裏面のガイドプーリを無端状に捲回するように張設したことを特徴とする電動式ワイヤーソー装置。
【請求項７】
請求項１ないし請求項４のいずれかに記載の電動式ワイヤーソー切断装置において、前記被切断物の上に前記支柱を立設し、該支柱の上方に前記駆動プーリを配設し、前記支柱の下方に設けたガイドプ−リと前記支柱の先端に設けたガイドプ−リと前記被切断物に取り付けたガイドプ−リ間を前記ワイヤーソーが無端状に捲回するように張設したことを特徴とする電動式ワイヤーソー装置。
【発明の詳細な説明】
【０００１】
【発明の属する技術分野】
本発明は、家庭用の１００Ｖあるいは２００Ｖの電源を動力源として利用することにより、鉄筋コンクリート構造物などの切断を簡単に行えるようにした電動式ワイヤーソー切断装置に関する。
【０００２】
【従来の技術】
従来から鉄筋コンクリート等の構造物を切断して開口する工法としては、開口区域周囲の各角部にワイヤーソー通し孔を鉄筋コンクリート等の構造物の厚さ方向に電動式コアドリルで穿孔し、隣接する各ワイヤーソー通し孔に切削用ワイヤーソーを通すとともに、注水しながらワイヤーソーイングを行う装置がある（例えば、特許文献１参照）。
【０００３】
【特許文献１】
特公平２−４８４１０号公報（第１〜４頁、１図〜図４）。
【０００４】
上記ワイヤーソー切断システムは、大型鉄筋コンクリ−ト構造物の切断を目的としたものであるため、機材の重量も重く（４０ｋｇ〜６００ｋｇ）、取り扱いに２名以上の人員を必要とする。このような大型の機材は、橋梁橋台の切断、地下構造物、基礎など、１回当たりの切断面積は１０ｍ２〜２０ｍ２の大きな面積まで一気に切断することができる。そして、ワイヤーソー駆動機として、内燃機関を搭載した大型機器や、切断部分と油圧発生装置とが分離した構造のものが採用されており、これらの機材に使用する起動電力は３０ｋｗ、内燃機関の場合は４０馬力程度が一般的である。
【０００５】
また、ワイヤーソー案内プーリ支持部材を支柱に取り付けてなる油圧式ワイヤーソー切断装置が提案されている（例えば、特許文献２参照）。
【０００６】
【特許文献２】
特許第２９７６８１８号公報（第２〜４頁、第１〜３図）
【０００７】
特許文献２に記載された装置においては、鉄筋コンクリート等の構造物を切断して開口するのに、電動式コアドリルでワイヤーソー通し孔を穿孔した後、隣接する各ワイヤーソー通し孔に切削用ワイヤーソーを通してワイヤーソーイングを行うために別体の装置を要する。
【０００８】
【発明が解決しようとする課題】
ところで、近年、老朽化した多層住宅の建て替えや間取りの拡充計画に伴い、間仕切り壁の撤去や出入口、換気口、エレベータホールの増設など、鉄筋コンクリート構造物切断による住居改善工事が着目されている。
【０００９】
このような住居改善工事を従来の大型のワイヤーソー切断システムで行おうとすると、搬入コスト、工事コスト、供給電力などの点で難点がある。
【００１０】
そこで、本発明は、家庭用の１００Ｖあるいは２００Ｖの電源を動力源として利用することにより、鉄筋コンクリート構造物などの切断を簡単に行えるようにして切断工事コストを半分に軽減できるようにした、電動式ワイヤーソー切断装置を提供するものである。
【００１１】
【課題を解決するための手段】
本発明は、電動コアドリルをワイヤーソー変換ユニットに接続するだけで、電動式ワイヤーソー切断装置として使用できるようにして課題解決の手段としている。したがって、本発明の電動式ワイヤーソー切断装置では、駆動用電源として一般家庭の電源を利用でき、鉄筋コンクリート住宅等の改良作業に対応することが可能となる。
【００１２】
具体的には、ワイヤーソーと、該ワイヤーソーの駆動動力源と、上記ワイヤーソーの案内機構とを有するワイヤーソー切断装置において、前記ワイヤーソーの駆動動力源が、電動モータと、該電動モータのガイド部材としてのスライドブロック及び支柱と、該支柱の支持部材としての取付け台と、自走装置とを備えた電動コアドリルと該コアドリルに接続する変換ユニットで構成され、前記ワイヤーソーの案内機構が、ワイヤーソー駆動プーリと複数個のガイドプーリとにより構成され、該ワイヤーソー駆動プーリが前記変換ユニットを介して前記電動モータにより回転駆動されるとともに前記電動モータと一体的に前記支柱に移動可能に支持される一方、前記複数個のガイドプーリが前記支柱に支持部材を介して保持され、使用時に前記取付け台を被切断物の表面に固定する手段が設けて第一の課題解決の手段としている。
【００１３】
また、前記の電動式ワイヤーソー切断装置において、前記電動コアドリルの一端に前記変換ユニットを介することなく直接前記ワイヤーソー駆動プーリが取り付けて第二の課題解決の手段としている。
【００１４】
更に、前記の電動式ワイヤーソー切断装置において、前記電動コアドリルが前記支柱に対して直角に取り付けて第三の課題解決の手段としている。
【００１５】
更にまた、前記の電動式ワイヤーソー切断装置において、同装置の前記支柱を垂直にセットした使用状態における前記自走装置の引き上げ力を補助する手段を設けて第四の課題解決の手段としている。
【００１６】
また、前記電動式ワイヤーソー切断装置において、前記被切断物の切断予定位置の裏面に、裏側ガイドプ−リを架台を介して固定し、前記ワイヤーソーを、前記被切断物に予め開けられた一組の孔を貫通して前記被切断物の表面のワイヤーソー駆動プーリ、ガイドプーリ及び裏面のガイドプーリを無端状に捲回するように張設して第五の課題解決の手段としている。
【００１７】
更にまた、前記の電動式ワイヤーソー切断装置において、前記被切断物の上に前記支柱を立設し、該支柱の上方に前記駆動プーリを配設し、前記支柱の下方に設けたガイドプ−リと前記支柱の先端に設けたガイドプ−リと前記被切断物に取り付けたガイドプ−リ間を前記ワイヤーソーが無端状に捲回するように張設して第六の課題解決の手段としている。
【００１８】
【発明の実施の形態】
以下、図面により本発明の実施形態について説明する。
図１は第１実施形態としての電動式ワイヤーソー切断装置の側面図、図２は同平面図、図３は同主要部を拡大して示す側面図、図４は第２実施形態としての電動式ワイヤーソー切断装置の側面図、図５は同正面図、図６は同主要部を拡大して示す側面図、図７は第３実施形態としての電動式ワイヤーソー切断装置の側面図、図８は第４実施形態としての電動式ワイヤーソー切断装置の側面図、図９は第５実施形態としての電動式ワイヤーソー切断装置の側面図、図１０（ａ）は図１〜３に示した装置の使用状態を示す概略図、図１０（ｂ）は図１０（ａ）の他の実施例を示す概略図、図１１は本発明の装置で柱等の被切断物を水平切断する装置の使用状態を示す概略図、図１２は本発明の装置で柱等の被切断物を水平切断する他の装置の使用状態を示す概略図、図１３は電動コアドリルの斜視図である。
【００１９】
始めに、図１３により電動コアドリルについて説明する。
この電動コアドリル１０は、電動モータ４と、電動モータ４のガイド部材としての支柱２と、支柱２の支持部材としての取付け台１と、電動モータ４と一体のギヤボックス７の出力軸に設けられたビット取り付けネジ１１に接続されるビット０４と、電動モータ４とギヤボックス７とを支柱２に移動可能に支持するスライドブロック３とを備えている。図１３において、符号０４ａはビット取り付けネジ１１に螺合結合する雌ネジを、符号２８は支柱の一側面に形成されたラックを示している。スライドブロック３にはラック２８に噛合するピニオン５が取り付けられていて、このピニオン５を送りハンドル３ａの操作で回転することにより、スライドブロック３を支柱２に沿って移動できるように構成されている。符号０３ｂはスライドブロック３を固定するためのクランプを示している。
符号２６は取付け台１調整ボルトを示す。
電動コアドリル１０を壁面に固定した後、電動モータ４を回転してビット０４を回転し壁面に孔を明けることができる。なお支柱２と取付け台１との取り付け角度は調節可能となっている。その外、孔明け部に冷却兼潤滑のための水供給装置０７が付設されている。
【００２０】
図１〜３に示す電動式ワイヤーソー切断装置において、図１３と同じ符号は同一部材を示している。この電動式ワイヤーソー切断装置では、図１３に示した電動コアドリル１０のビット０４に換えてワイヤーソー駆動機構が取り付けらてれる。即ち、電動式ワイヤーソー切断装置は、鉄筋コンクリート構造物への取付け台１と、取付け台１に立設された支柱２と、支柱２に移動可能に支持されたスライドブロック３と、スライドブロック３にギヤボックス７を介して取り付けられた電動モータ４と、スライドブロック３にはラック２８に噛合するピニオン５が取り付けられていて、ピニオン５を送りハンドル３ａの操作で回転することにより、スライドブロック３を支柱２に沿って移動できるように構成されている。また、支柱２に、ワイヤーソー駆動機構のスライド体１３が移動可能に取り付けられている。更にスライドブロック３には電動コアドリル１０とギヤボックス７とが一体的に取り付けられおり、スライドブロック３を支柱２に沿って走行させるための自走装置９が取り付けられている。コアドリルに付随している自走装置９としては、モータ（図示せず）より電磁クラッチを介して回転駆動される形式のものが望ましい。
即ち、この形式は、鉄筋コンクリ−ト構造物の切断中、切断用ワイヤーソーに張力が過剰に掛かると、電磁クラッチが滑り始めてワイヤーソーの張力を緩和させる構造になっている。自走装置９のモータ（図示せず）の軸に、ラック２８に噛合するピニオン５が取り付けられている。ピニオン５には、図１１に示すように、送りハンドル３ａも取り付けられている。
【００２１】
ワイヤーソー駆動機構は、スライド体１３と、スライド体１３と一体のワイヤーソー変換ユニット１３Ａとを備え、変換ユニット１３Ａ内には、ビット取り付けネジ１１（雄ネジ）はベベルギヤ１７のシャフトに接続され、ベベルギヤ１７は、ワイヤーソー駆動プーリのシャフトに設けたベベルギヤ１７Ａと噛合されている。図中の符号１６，１６Ａ，１６Ｂは軸受けを示している。プーリカバー１８はワイヤーソー３０が後方に飛来するのを防止するために設けられている。符号８は２段切り替えノブを示す。また、符号６はスイッチ、１９はモータ４の自走装置９用コネクト、２０はモータ４の自走装置９用プラグ、２１はモータ４のプラグを示す。
【００２２】
組み立て時、ワイヤーソー駆動機構のスライド体１３を支柱２に差し込み、次いでスライドブロック３を支柱２に差し込むのであるが、この時、雌ネジ１２とビット取り付けネジ１１（雄ネジ）との高さが一致していることが必要条件となる。したがって、両者の間に高さの相違があるときには、スライド体１３と変換ユニット１３Ａとの間にスペーサ材１４を挿入して、雌ネジ１２とビット取り付けネジ１１（雄ネジ）との高さを一致させるようになっている。雌ネジ１２とビット取り付けネジ１１（雄ネジ）との高さを一致させた後、両ネジの外部に形成されているスパナ係合溝にスパナを係合して両ネジを締めつけることにより、モータ４側とワイヤーソー駆動機構側とが、ベベルギヤ１７の雌ネジ１２とビット取り付けネジ１１（雄ネジ）とを介して一体結合されることになる。
【００２３】
プーリカバー１８はワイヤーソー３０が後方に飛来するのを防止するために設けられている。符号８は２段切り替えノブを示す。また、符号６はスイッチ、１９はモータ４の自走装置９用コネクト、２０はモータ４の自走装置９用プラグ、２１はモータ４のプラグを示す。
【００２４】
支柱２の取付け台１よりのところに、プーリ架台シャフト２３が突設されており、このシャフト２３の先端部にプーリ用水平シャフト２４が長さ調節可能に支持されている。更に、シャフト２４の先端に複数のガイドプーリ２５，２５ａ，２５ｂ，２５ｃが回転可能に取り付けられている。ガイドプーリ２５等はワイヤーソーとワイヤーソー駆動プーリ１５との駆動摩擦を強化するために設けられる。また、その数量に限定はなく、任意の数だけ設置することができる。
【００２５】
この電動式ワイヤーソー切断装置には、支柱２と取付け台１との取り付け角度を調節する機構が設けられており、更に切断個所に冷却兼潤滑のための水供給装置（図示せず）が付設されている。図１において、符号５０はコントロールボックスを示しており、モータ４の電源プラグ２１及び自走装置９のモータ電源コネクタ１９、プラグ２０はこのコントロ−ルボックス５０を介して家庭用の電源（１００Ｖ，Ａ．Ｃ）に接続され、遠隔操縦できるようになっているが、自走装置９に直接制御部を設けた形式のものも採用することができる。
【００２６】
使用時、電動式ワイヤーソー切断装置は、最小限の出力をもって切断を可能にするためには、切削負荷を軽減させる必要がある。例えば、図１０（ａ）に示すように、壁３１の表面３１ａに取付け台１が固定される。壁３１の裏面には、ワイヤーソー３０の案内機構３２が固定ボルト３５により取り付けられる。この案内機構３２は、スタッド３３とスタッド３３に支持された３個のガイドプーリ３４とにより構成され、ワイヤーソー３０は、壁３１に予め電動コアドリル１０により明けられた一組の孔３３，３３を貫通して前記のように張設される。
【００２７】
なお、表面のワイヤーソー駆動プーリ１５、ガイドプーリ２５，２５ａ，２５ｂ及び裏面の３個のガイドプーリ３４を無端状に捲回するように張設される。ワイヤーソー３０は、壁３１に予め電動コアドリル１０により明けられた一組の孔３３，３３を貫通して前記のように張設される。また、図１０（ａ），（ｂ）に示すように、ガイドプーリ案内機構の形状やプーリ設置数量等には制約はなく、適宜設置することが望ましい。また、切削の進行と共に生じるワイヤーソー３０の弛みは、ガイドプーリ２５ｅを側方に取り付け、ワイヤ−ソ−の長さの調整をすることにより解消させる。また、初期位置設定は送りハンドル３ａを操作して行う。
【００２８】
図１０（ａ）に示す使用状態にセットした後、モータ４に通電してモータ４を回転する。モータ４の回転により、ワイヤーソー３０がワイヤーソー駆動プーリ１５、ガイドプーリ２５，２５ａ，２５ｂおよび裏面の３個のガイドプーリ３４を無端状に走行し、壁３１の切断が行われる。切断は各孔３３，３３の内面側から矢印Ｙ−Ｙの方向に進行する。切断の進行につれてワイヤーソー駆動プーリ１５は、モータ４などとともに矢印Ｘの方向に自走装置９により移動する。ワイヤーソー駆動プーリ１５のこの移動により、張力を調整しながら切削は進行する。また、切断の進行につれて左右のガイドプーリ３４は互いに接近する方向（矢Ｚ−Ｚ方向）に移動する。最終工程では、ガイドプーリ案内機構３２が取り外され、ガイドプーリ２５，２５ａ，２５ｂ，２５ｃ又は２５ａ，２５ｂとワイヤ−ソ−駆動プーリ１５との間にワイヤーソー３０が無端状に張設されることになる。また、ワイヤーソー３０の張設や切削に順序はなく、切削負荷を軽減させるようにワイヤーソー３０を適宜張り替えることが望ましい。
【００２９】
図１１に、柱等の被切断物を水平切断する例を示す。図１１に示す使用状態に取付け台１、ワイヤーソー案内機構３２をセットした後、モータの回転により、ワイヤーソー３０がワイヤーソー駆動プーリ１５と、ガイドプーリ２５ａ，２５ｂ，２５ｃ，２５ｄおよび裏面のガイドプーリ２５ｅを無端状に走行し、柱状壁３１の切断が行われる。切断は矢印Ｗから矢印Ｚの方向に進行し、ワイヤーソー３０は曲線状態で切削が進行する。切断の進行につれてワイヤーソー駆動プーリ１５は、モータなどとともに矢印Ｘの方向に自走装置９により移動する。ワイヤーソー駆動プーリ１５のこの移動により、張力を調整しながら切削は進行する。また、切断の進行につれてガイドプーリ２５ａ，２５ｂ，２５ｃ，２５ｄおよび裏面のガイドプーリ２５ｅ→ガイドプーリ２５ａ，２５ｂ，２５ｃおよび裏面のガイドプーリ２５ｅ→ガイドプーリ２５ａ，２５ｂおよび裏面のガイドプーリ２５ｅとワイヤーソー３０を互いに接近する方向（矢印Ｚ−Ｚ方向）に架け替えてゆく。最終工程では、ガイドプーリ２５ａ，２５ｂおよび裏面のガイドプーリ２５ｅかガイドプーリ２５ａおよび裏面のガイドプーリ２５ｅと移り変わる。
この水平切断する例は、図１０に示すもののように、切断対象物に穿孔してワイヤーソー３０を巻き掛ける必要がない。
【００３０】
図１２に、柱等の被切断物を水平切断する他の例を示す。図１２に示す使用状態に取付け台１、ワイヤーソー案内機構３２，３３をセットした後、モータの回転により、ワイヤーソー３０はワイヤーソー駆動プーリ１５と、ガイドプーリ２５ｆ，２５ｇを介してガイドプーリ２５ｄ，２５ｅ，２５ａ，２５ｂとを柱状壁に無端状に巻回して張設し走行させ、ワイヤーソー駆動プーリ１５を自重により支柱２に沿ってラック上を降下させることにより柱状壁３１の切断が行われる。切断の進行につれてガイドプーリ２５ａから２５ｂ，２５ｃと順次に架け替えてゆく点は図１１に示すものと同様である。
この切断例は、自走装置引き揚げ力、補助手段等は不要となる。
【００３１】
このように、この実施形態では、ワイヤーソーによる切断に先立って行う壁の孔明け作業用の通常の電動コアドリル１０のモータ４や支柱２及び取り付け台１などをワイヤーソー切断装置にそのまま利用して、これにプーリ支持部材とワイヤーソー変換ユニット１３Ａとを組み合わせるだけで、つまり電動コアドリル１０をワイヤーソー変換ユニット１３Ａに接続するだけで、電動式ワイヤーソー切断装置として使用できるので、駆動用電源として一般家庭の電源を利用でき、鉄筋コンクリート住宅の改造作業に対応できる。その結果、従来のワイヤ−ソ−駆動装置ならびに共用機材（油圧ユニット、発電機、運搬車輛、構成人員）などの削減が可能となり、切断コストを大幅に減少でき、更に機材の運搬やワイヤーソーによる切断作業を一人の作業員で行えるようになった。
【００３２】
図４〜６に示す第２実施形態では、電動コアドリル１０の一端に直接ワイヤーソー駆動プーリ１５が取り付けられている実施例を示している。そして、電動コアドリル１０が支柱２に対して直角に取り付けられている。電動コアドリル１０がスライド体１３の側方に取り付けられるとともに、電動コアドリル１０のモータ４のビット取り付けネジ１１に、ワイヤーソー駆動プーリ１５の中心部に形成された雌ネジ部１５ｃが直接ネジ込まれ、更にボルト１５ｄで締めつけて固定されている。ビット取り付けネジ１１には給水用の孔が設けられており、この孔にボルト１５ｄの螺合ネジ孔が形成されている。
【００３３】
図１〜３及び図４〜６に示す実施形態では、ラック２８が、ワイヤーソー駆動プーリ１５に対向する相対関係に構成されている。図７に示す第３実施形態では、ラック２８が、ワイヤーソー駆動プーリ１５に対して直交する相対関係に構成されている。図８に示す第４実施形態では、電動コアドリル１０とワイヤーソー変換ユニット１３Ａとが支柱２に対して下向きに取り付けられている。
この構成により、支柱２と駆動プーリ１５とを低位置とすることができる。この場合、ラック２８をワイヤーソー駆動プーリ１５に対して支柱２の反対側に取り付け直す必要がある。いずれにしろ、ワイヤーソー変換ユニット１３Ａを変形させて製作しなければならない。なお、これらの場合も、電動コアドリル１０の一端に直接ワイヤーソー駆動プーリ１５を取り付けてもよい。
【００３４】
図９に示す第５実施形態では、支柱を垂直に設定して下から上に切り上げる垂直切断を行う構成となっている。この場合、電動式自走装置は、元々コアドリルユニット重量を引き上げるまでの出力となっているので、切断に要する張力負荷を与えると自走装置９による上昇は不可能となる。そのため、図９に示すように、コアドリルユニット本体４０の重量や張力等を加算させた錘４２を、支柱２の上部に設けられている支持部材４５に取り付けられた複数のプーリ４４を経由させてカウンターウエイトとして機能させる構成を追加することにより、自走装置９による上昇移動を可能にしている。なお、錘４２によるカウンターウエイト構成に換え、引きバネを利用するようにしてもよい。図９において、符号４３は錘４２とスライド体１３との間に張設されたワイヤ−を示している。
【００３５】
前記の各実施形態では、支柱２に沿ってスライドブロック３を移動させる構成であるため、ラック２８とピニオン５とを利用したものが一般的であるが、他の構成として、取付け台１に２本の支柱を設け、側方に延びる支柱末尾を固定してなる支持台に、チェーンやスクリュネジ等による移動機構を設けた支持台上に、電動式ワイヤーソー駆動装置を固定した場合においても、同等の切断装置として使用できる。
【００３６】
【発明の効果】
以上詳述したように、本発明によれば次のような効果が得られる。
（１）通常のコアドリル機材に、ワイヤーソー案内プーリ支持部材とワイヤ−ソ−駆動機構とを組み合わせて電動式ワイヤーソー切断装置を構成したので、従来のワイヤーソー駆動機構ならびに共用機材（油圧ユニット、発電機、運搬車輛、構成人員など）を削減でき、その結果、切断工事コストを大幅に減少できる。
（２）機材の運搬やワイヤーソーによる切断作業が容易に、また１人の人員で切断作業ができ、例えば１名の人員で１ｍ２  ／当たり１２０〜１５０分で切断が可能になる。
（３）通常のコアドリル機材をベ−スにしているので、家庭用の１００Ｖ電源による切断が可能となり、鉄筋コンクリート住宅又は鉄筋コンクリート構築物のリフォームのような小規模工事に極めて適した電動式ワイヤーソー切断装置が得られる。
（４）電動式コアドリルによる穿孔とワイヤーソーイングを行うという二工程を１つの装置又は別途のコアドリルで鉄筋コンクリート構造物などを切断を簡単に行えるようにして切断工事コストを半分に軽減することができる。
【図面の簡単な説明】
【図１】第１実施形態としての電動式ワイヤーソー切断装置の側面図である。
【図２】同平面図である。
【図３】同主要部を拡大して示す側面図である。
【図４】第２実施形態としての電動式ワイヤーソー切断装置の側面図である。
【図５】同正面図である。
【図６】同主要部を拡大して示す側面図である。
【図７】第３実施形態としての電動式ワイヤーソー切断装置の側面図である。
【図８】第４実施形態としての電動式ワイヤーソー切断装置の側面図である。
【図９】第５実施形態としての電動式ワイヤーソー切断装置の側面図である。
【図１０】（ａ）は図１〜３に示した装置の使用状態を示す概略図、（ｂ）は（ａ）の他の実施例を示す概略図である。
【図１１】本発明の装置で柱等の被切断物を水平切断する装置の使用状態を示す概略図である。
【図１２】本発明の装置で柱等の被切断物を水平切断する他の装置の使用状態を示す概略図である。
【図１３】電動コアドリルの斜視図である。
【符号の説明】
１      取付け台
２      支柱
３      コアドリルスライドブロック
３ａ    送りハンドル
４      電動モータ
５      ピニオン
６      スイッチ
７      ギア−ボックス
９      自走装置
１０    電動コアドリル
１１    ビット取付けネジ
１２    ビット取付けネジ（凹側）
１３    スライド部
１５    ワイヤーソー駆動プーリ
１７    ベベルギヤ
１７Ａ  ベベルギヤ
２３    プーリ架台シャフト
２４    プーリ用水平シャフト
２５    プーリ
２６    取付け台調整ボルト
２７    アンカ−用孔
２８    ラック
３０    ワイヤーソー
５０    遠隔操縦用コントロ−ルボックス
【図１】
2004224015.tif 000003
【図２】
2004224015.tif 000004
【図３】
2004224015.tif 000005
【図４】
2004224015.tif 000006
【図５】
2004224015.tif 000007
【図６】
2004224015.tif 000008
【図７】
2004224015.tif 000009
【図８】
2004224015.tif 000010
【図９】
2004224015.tif 000011
【図１０】
2004224015.tif 000012
【図１１】
2004224015.tif 000013
【図１２】
2004224015.tif 000014
【図１３】
2004224015.tif 000015
【手続補正書】
【提出日】平成15年1月28日(2003.1.28)
【手続補正１】
【補正対象書類名】明細書
【補正対象項目名】００２９
【補正方法】変更
【補正の内容】
【００２９】図１１に、柱等の被切断物を水平切断する例を示す。図１１に示す使用状態に取付け台１、ワイヤーソー案内機構３２をセットした後、モータの回転により、ワイヤーソー３０がワイヤーソー駆動プーリ１５と、ガイドプーリ２５ａ，２５ｂ，２５ｃ，２５ｄおよび裏面のガイドプーリ２５ｅを無端状に走行し、被切断物３１の切断が行われる。切断は矢印Ｗから矢印Ｚの方向に進行し、ワイヤーソー３０は曲線状態で切削が進行する。切断の進行につれてワイヤーソー駆動プーリ１５は、モータなどとともに矢印Ｘの方向に自走装置９により移動する。ワイヤーソー駆動プーリ１５のこの移動により、張力を調整しながら切削は進行する。また、切断の進行につれてガイドプーリ２５ａ，２５ｂ，２５ｃ，２５ｄおよび裏面のガイドプーリ２５ｅ→ガイドプーリ２５ａ，２５ｂ，２５ｃおよび裏面のガイドプーリ２５ｅ→ガイドプーリ２５ａ，２５ｂおよび裏面のガイドプーリ２５ｅとワイヤーソー３０を互いに接近する方向（矢印Ｚ−Ｚ方向）に架け替えてゆく。最終工程では、ガイドプーリ２５ａ，２５ｂおよび裏面のガイドプーリ２５ｅかガイドプーリ２５ａおよび裏面のガイドプーリ２５ｅと移り変わる。
この水平切断する例は、図１０に示すもののように、切断対象物に穿孔してワイヤーソー３０を巻き掛ける必要がない。